(57)【要約】【課題】カード属性毎に別々に発行されている各種の会員カードを所持する客の負担を軽減することができる商品販売データ処理装置およびプログラムを提供する。【解決手段】商品販売データ処理を実行する商品販売データ処理装置において、１枚の会員カードに対して対応付け可能な複数のカード属性を表示する第一属性表示手段と、表示された前記複数のカード属性から所望のカード属性の指定を受け付ける属性指定手段と、指定を受け付けた前記カード属性を前記会員カードのカード番号に対応付けて記憶装置に記憶する属性記憶手段と、前記商品販売データ処理に際して前記会員カードのカード番号に対応付けられた前記カード属性に応じた処理を実行する処理実行手段と、を備える。【選択図】図７
2015087863.tif 000002
【特許請求の範囲】
【請求項１】
商品販売データ処理を実行する商品販売データ処理装置において、
１枚の会員カードに対して対応付け可能な複数のカード属性を表示する第一属性表示手段と、
表示された前記複数のカード属性から所望のカード属性の指定を受け付ける属性指定手段と、
指定を受け付けた前記カード属性を前記会員カードのカード番号に対応付けて記憶装置に記憶する属性記憶手段と、
前記商品販売データ処理に際して前記会員カードのカード番号に対応付けられた前記カード属性に応じた処理を実行する処理実行手段と、
を備えることを特徴とする商品販売データ処理装置。
【請求項２】
前記商品販売データ処理の際に、前記会員カードのカード番号に対応付けられた前記カード属性を表示する第二属性表示手段を更に備える、
ことを特徴とする請求項１記載の商品販売データ処理装置。
【請求項３】
前記第一属性表示手段は、前記会員カードに対して対応付けされたカード属性と、前記会員カードに対して対応付けされていないカード属性とを区別して表示する、
ことを特徴とする請求項１または２記載の商品販売データ処理装置。
【請求項４】
前記第二属性表示手段は、前記会員カードに対して対応付けされたカード属性と、前記会員カードに対して対応付けされていないカード属性とを区別して表示する、
ことを特徴とする請求項２記載の商品販売データ処理装置。
【請求項５】
前記属性記憶手段は、通信回線で接続されたサーバを前記記憶装置とし、前記会員カードに対応付けて前記カード属性を記憶する、
ことを特徴とする請求項１ないし４の何れか一記載の商品販売データ処理装置。
【請求項６】
商品販売データ処理を実行する商品販売データ処理装置を制御するコンピュータを、
１枚の会員カードに対して対応付け可能な複数のカード属性を表示する第一属性表示手段と、
表示された前記複数のカード属性から所望のカード属性の指定を受け付ける属性指定手段と、
指定を受け付けた前記カード属性を前記会員カードのカード番号に対応付けて記憶装置に記憶する属性記憶手段と、
前記商品販売データ処理に際して前記会員カードのカード番号に対応付けられた前記カード属性に応じた処理を実行する処理実行手段と、
として機能させるためのプログラム。
【発明の詳細な説明】
【技術分野】
【０００１】
本発明の実施形態は、商品販売データ処理装置およびプログラムに関する。
【背景技術】
【０００２】
従来、チェーンや店舗等においては、顧客情報の収集や顧客の囲い込みのために、顧客を会員登録して各種の特典を付与する会員カードを発行している。このような会員カードは、会員カードによって付与される特典の種類であるカード属性毎に発行されている。
【０００３】
会員カードによって付与される特典としては、下記に示すものが一例として挙げられる。
・ポイントの付与
・値引きまたは割引き
・クーポン券の発行
・電子マネーの使用
【０００４】
ところで、従来の会員カードは、同一チェーンや同一店舗で使用するものであっても、カード属性毎に別々に発行されている。そのため、顧客の中には財布の中に複数の会員カードを所持している人も多い。このように複数の会員カードを所持している顧客は、財布がかさばり、会計時に目的の会員カードをすぐに取り出すことができなかったり、紛失してしまったりする、という問題を抱えている。
【０００５】
そこで、単一のカード属性であるポイントカードに関しては、複数のカードにそれぞれ記憶された店舗毎のポイント数を１枚のカードにまとめる技術が提案されている。
【０００６】
加えて、店舗においては、キャッシャと称されるオペレータは、カード属性毎に別々に発行されている各種の会員カードについてカード属性を把握し、各会員カードのカード属性に応じた販促サービスなどの次に行う操作を覚えなくてはならない。
【発明の概要】
【発明が解決しようとする課題】
【０００７】
本発明が解決しようとする課題は、カード属性毎に別々に発行されている各種の会員カードを所持する客の負担を軽減することができる商品販売データ処理装置およびプログラムを提供することである。
【課題を解決するための手段】
【０００８】
実施形態は、商品販売データ処理を実行する商品販売データ処理装置において、１枚の会員カードに対して対応付け可能な複数のカード属性を表示する第一属性表示手段と、表示された前記複数のカード属性から所望のカード属性の指定を受け付ける属性指定手段と、指定を受け付けた前記カード属性を前記会員カードのカード番号に対応付けて記憶装置に記憶する属性記憶手段と、前記商品販売データ処理に際して前記会員カードのカード番号に対応付けられた前記カード属性に応じた処理を実行する処理実行手段と、を備える。
【図面の簡単な説明】
【０００９】
【図１】図１は、実施形態に係る会員カードシステムの構成を例示的に示すシステム構成図である。
【図２】図２は、顧客管理サーバが備える会員カード属性情報ファイルを示す図である。
【図３】図３は、ＰＯＳ端末のハードウェア要部構成を示すブロック図である。
【図４】図４は、ＰＯＳ端末におけるカード統合処理にかかる機能ブロック図である。
【図５】図５は、カード統合処理の流れを示すフローチャートである。
【図６】図６は、オペレータ用表示器の画面を示す図である。
【図７】図７は、オペレータ用表示器の画面を示す図である。
【図８】図８は、オペレータ用表示器の画面を示す図である。
【図９】図９は、オペレータ用表示器の画面を示す図である。
【図１０】図１０は、オペレータ用表示器の画面を示す図である。
【図１１】図１１は、オペレータ用表示器の画面を示す図である。
【図１２】図１２は、会員カードを用いた商品販売処理の流れを示すフローチャートである。
【発明を実施するための形態】
【００１０】
以下に添付図面を参照して、実施形態を詳細に説明する。なお、本実施形態では、商品販売データ処理装置としてＰＯＳ（Point  Of  Sale）端末に適用した例について説明する。
【００１１】
図１は、実施形態に係る会員カードシステム１００の構成を例示的に示すシステム構成図である。図１に示すように、会員カードシステム１００は、複数の商品販売データ処理装置としてのＰＯＳ端末１２と、これらのＰＯＳ端末１２のデータを管理するストアコンピュータ１１とをＬＡＮ（Local  Area  Network）等の通信回線１３で接続する店舗システム１０１を備えている。
【００１２】
ＰＯＳ端末１２は、記憶媒体としての会員カードＣに対してデータの読み取りおよび書き込みが可能になっている。会員カードＣは、記憶手段としてのＩＣチップを内蔵している。
【００１３】
また、会員カードシステム１００は、店舗システム１０１のストアコンピュータ１１に対してインターネットＶＰＮ（Virtual  Private  Network）等の通信回線１５で接続されていて本部に設置された顧客管理サーバ１４を備えている。
【００１４】
顧客管理サーバ１４は、会員カードＣに対する会員カード属性情報を記憶する。ここで、図２は顧客管理サーバ１４が備える会員カード属性情報ファイル５０を示す図である。この会員カード属性情報ファイル５０は、会員カードＣのカード番号に対応させて会員カード属性情報を記憶する。
【００１５】
会員カードＣのカード番号は、例えば、会員カードＣを紛失した場合に、再発行を可能にするために管理番号の１つであり予め会員カードＣに設定されている固有の番号である。会員カード属性情報ファイル５０に記憶される会員カード属性情報は、会員カードＣにおいて入会済みのカード属性であって、下記に示すものが一例として挙げられる。
・ポイントの付与
・値引きまたは割引き
・クーポン券の発行
・電子マネーの使用
【００１６】
次に、ＰＯＳ端末１２について詳述する。
【００１７】
図３は、ＰＯＳ端末１２のハードウェア要部構成を示すブロック図である。図３に示すように、ＰＯＳ端末１２は、制御部本体として各部を制御するＣＰＵ（Central  Processing  Unit）２１を備えている。ＣＰＵ２１は、このＣＰＵ２１が実行する制御プログラムなどの固定的データを予め格納されたＲＯＭ（Read  Only  Memory）２２と、商品販売データ処理に必要な可変的データを格納するための各種メモリエリアが形成されるＲＡＭ（Random  Access  Memory）２３とを、アドレスバス、データバス等のバスライン３４で接続して、制御部を構成する。
【００１８】
また、ＣＰＵ２１は、現在の日付および時刻を計時する計時手段としての時計部２４、通信インターフェース（Ｉ／Ｆ）２５、ＨＤＤ（Hard  Disk  Drive）コントローラ２６、ドロワインターフェース（Ｉ／Ｆ）２７、キーボードコントローラ２８、スキャナコントローラ２９を、バスライン３４を介して接続している。また、ＣＰＵ２１は、オペレータ用表示コントローラ３０、客用表示コントローラ３１、プリンタコントローラ３２、カードリーダライタ（Ｒ／Ｗ）３３を、バスライン３４を介して接続している。
【００１９】
通信インターフェース（Ｉ／Ｆ）２５は、通信回線１３を接続する。ＨＤＤコントローラ２６は、ＨＤＤ３５を接続する。ドロワインターフェース（Ｉ／Ｆ）２７は、ドロワ３６を接続する。キーボードコントローラ２８は、キーボード３７を接続する。スキャナコントローラ２９は、バーコードスキャナ３８を接続する。オペレータ用表示コントローラ３０は、オペレータ用表示器３９を接続する。客用表示コントローラ３１は、客用表示器４０を接続する。プリンタコントローラ３２は、プリンタ４１を接続する。
【００２０】
ＨＤＤ３５には、ＣＰＵ２１を動作させる制御プログラムや商品マスタファイル、売上登録に係る売上情報を記憶保持する売上ファイル、ジャーナルファイル等が格納されている。
【００２１】
なお、ＰＯＳ端末１２のＣＰＵ２１を動作させる制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００２２】
また、ＰＯＳ端末１２のＣＰＵ２１を動作させる制御プログラムを、インターネット等のネットワークに接続されたコンピュータ上に格納し、ネットワーク経由でダウンロードさせることにより提供するように構成しても良い。また、ＰＯＳ端末１２のＣＰＵ２１を動作させる制御プログラムをインターネット等のネットワーク経由で提供または配布するように構成しても良い。
【００２３】
ＲＡＭ２３には、会員カードＣから読み取ったカード番号、およびカード番号に対応させて顧客管理サーバ１４の会員カード属性情報ファイル５０に記憶されている会員カード属性情報を一時的に記憶しておく記憶装置である一時記憶バッファ２３ａも有している。
【００２４】
時計部２４は、一取引が開始された日付や時間をレシート印字するため等に稼動している。
【００２５】
通信インターフェース２５は、通信回線１３を介して接続されるストアコンピュータ１１との間でデータ通信を制御する。
【００２６】
キーボード３７は、例えばバーコードが付されていない商品（野菜、果物、惣菜等）を入力するための商品キー、置数キー、乗算キー、ＰＬＵキー、小計キー、売上データ、クリアキー、取引明細キー、サインオンキー、サインオフキー等の各種キーを配設する。置数キーは、預かり金額等の０〜９までの数値データを置数入力する機能を有する。小計キーは、１取引の商品の入力終了を宣言するとともに、入力された商品の合計金額の計算を指示する機能を有する。預／現計キーは、１取引として顧客が支払う現金を置数入力した後に押下することで、支払いを宣言する締めキーとしての機能と、購入した商品の合計金額からポイントの計算を開始する機能も有している。
【００２７】
また、キーボード３７は、会員カードＣのカード番号に対応させて顧客管理サーバ１４の会員カード属性情報ファイル５０に記憶されている会員カード属性情報を表示することを宣言するカード情報キー３７ａを配設する。
【００２８】
また、キーボード３７は、商品販売処理の際に、会員カードＣのカード番号を読み出し、ポイント管理サーバ１４に会員カード属性情報の問い合わせを行うことを宣言するカード宣言キー３７ｂを配設する。
【００２９】
カードリーダライタ３３は、会員カードＣへの情報の追加、更新を行うものであり、会員カードＣを挿入する挿入口３３ａを設けている。なお、カードリーダライタ３３はＰＯＳ端末１２と有線により外部接続された単体の装置であってもよい。
【００３０】
バーコードスキャナ３８は、商品等に付けられたバーコードを光学的に読み取るものである。
【００３１】
オペレータ用表示器３９および客用表示器４０は、入力された商品の商品名、単価、合計金額、釣銭金額等を表示するものである。また、オペレータ用表示器３９は、会員カード属性情報表示画面Ｐ２（図７参照）を表示する。詳細は後述するが、会員カード属性情報表示画面Ｐ２には、会員カードＣのカード番号に対応させて顧客管理サーバ１４の会員カード属性情報ファイル５０に記憶されている会員カード属性情報の一覧が表示される。ここで、カード番号が入力された会員カードＣに対して入会済みのカード属性と、未入会のカード属性とでは、文字の表示色または背景色が異なるものとなっている。また、会員カードＣのカード番号が未入会の場合、会員カード属性情報表示画面Ｐ２に一覧表示される会員カード属性情報は、未入会を示す文字の表示色または背景色である。
【００３２】
プリンタ４１は、レシート用紙に１取引で入力された商品の取引明細データを印字してレシートを発行することが可能なレシートプリンタである。なお、プリンタ４１はレシートプリンタとして１台だけ設置しているが、レシートプリンタと隣接する位置にジャーナルプリンタを別途設けることでジャーナルデータの出力専用にしてもよい。
【００３３】
次に、ＰＯＳ端末１２のＨＤＤ３５に格納された制御プログラムがＣＰＵ２１に実行させる機能について説明する。本実施形態においては、従来のＰＯＳ端末１２によって行なわれる処理と同様の処理についてはその説明を省略する。
【００３４】
ここでは、本実施形態のＰＯＳ端末１２の有する特長的な機能であるカード統合処理について説明する。
【００３５】
ここで、図４はＰＯＳ端末１２におけるカード統合処理にかかる機能ブロック図である。図４に示すように、ＰＯＳ端末１２のＣＰＵ２１で実行される制御プログラムは、第一属性表示手段２１１と、属性指定手段２１２と、属性記憶手段２１３と、処理実行手段２１４と、第二属性表示手段２１５と、を含むモジュール構成となっている。ＣＰＵ２１は、ＨＤＤ３５から制御プログラムを読み出して、上記各部をＲＡＭ２３にロードする。これにより、第一属性表示手段２１１と、属性指定手段２１２と、属性記憶手段２１３と、処理実行手段２１４と、第二属性表示手段２１５とがＲＡＭ２３上に生成される。
【００３６】
第一属性表示手段２１１は、１枚の会員カードＣに対して対応付け可能な複数のカード属性を表示する。
【００３７】
属性指定手段２１２は、表示された複数のカード属性から所望のカード属性の指定を受け付ける。
【００３８】
属性記憶手段２１３は、指定を受け付けたカード属性を会員カードＣのカード番号に対応付けて記憶装置であるＲＡＭ２３の一時記憶バッファ２３ａや顧客管理サーバ１４の会員カード属性情報ファイル５０に記憶する。
【００３９】
処理実行手段２１４は、商品販売データ処理に際して会員カードＣのカード番号に対応付けられたカード属性に応じた処理を実行する。
【００４０】
第二属性表示手段２１５は、商品販売データ処理の際に、会員カードＣのカード番号に対応付けられたカード属性を表示する。
【００４１】
従来、各種の特典を付与する会員カードは、同一チェーンや同一店舗で使用するものであっても、カード属性毎に別々に発行されている。そこで、本実施形態のカード統合処理は、概略的には、１枚の会員カードに各種のカード属性を持たせ、複数の会員カードを１枚の会員カードに統合するようにしたものである。
【００４２】
ここで、図５はカード統合処理の流れを示すフローチャート、図６〜図１１はオペレータ用表示器３９の画面遷移を示す図である。
【００４３】
複数の会員カードを持つ顧客は、１枚のカードにまとめたい場合に、キャッシャと称されるオペレータにその旨を申し出る。店員は予めカード番号が付された会員カードＣをＰＯＳ端末１２のカードリーダライタ３３に設けられた挿入口３３ａへ挿入する。次いで、オペレータは、キーボード３７に配設されたカード情報キー３７ａを押下する。
【００４４】
図５に示すように、カード情報キー３７ａが押下されると、ＣＰＵ２１は、オペレータ用表示器３９にカード番号入力画面Ｐ１（図６）を表示する（ステップＳ１）。オペレータは、キーボード３７に配設された置数キーを押下してカード番号の入力を行い、カード番号入力画面Ｐ１（図６）上の確定キーａを押下する。
【００４５】
カード番号入力画面Ｐ１（図６）上の確定キーａが押下されると、ＣＰＵ２１は、顧客管理サーバ１４に会員カード属性情報の問合せを行う（ステップＳ２）。
【００４６】
ＣＰＵ２１（第一属性表示手段２１１）は、顧客管理サーバ１４からカード番号に応じた会員カード属性情報を受信すると（ステップＳ３のＹｅｓ）、オペレータ用表示器３９に会員カード属性情報表示画面Ｐ２（図７）を表示する（ステップＳ４）。
【００４７】
図７に示すように、会員カード属性情報表示画面Ｐ２には、会員カード属性情報Ｘが一覧表示されている。ここで、カード番号が入力された会員カードＣに対して入会済みのカード属性と、未入会のカード属性とでは、文字の表示色または背景色が異なるものとなっている。また、会員カードＣのカード番号が未入会の場合、会員カード属性情報表示画面Ｐ２に一覧表示される会員カード属性情報Ｘは、未入会を示す文字の表示色または背景色である。
【００４８】
上述のように会員カード属性情報表示画面Ｐ２に会員カード属性情報Ｘが一覧表示されている状態で、オペレータは、属性変更キーｂを押下するとともに、変更する属性を選択する。
【００４９】
変更する属性が選択されると（ステップＳ５のＹｅｓ）、ＣＰＵ２１（属性指定手段２１２）は、旧カードからの移行なのか、新規入会なのかを尋ねるポップアップ画面Ｐ３（図８）をオペレータ用表示器３９に表示する（ステップＳ６）。
【００５０】
例えば、旧カードから新カードへカード情報を移行する場合には、オペレータは、ポップアップ画面Ｐ３（図８）上の移行キーｃを押下する。また、新規にカードを登録する場合には、オペレータは、ポップアップ画面Ｐ３（図８）上の新規キーｄを押下する。
【００５１】
オペレータがポップアップ画面Ｐ３（図８）上の移行キーｃを押下した場合（ステップＳ７のＹｅｓ）、ＣＰＵ２１は、旧カードのカード番号の入力を促す番号入力画面Ｐ４（図９）をオペレータ用表示器３９に表示する（ステップＳ８）。
【００５２】
図９に示すように、番号入力画面Ｐ４には、旧カードのカード番号の入力方法（バーコード読み取り、置数キーでの入力）が表示されている。また、旧カードのカード番号を入力する場合には、オペレータは、番号入力画面Ｐ４（図９）上の確定キーｅを押下する。
【００５３】
旧カードのカード番号の入力後、オペレータが番号入力画面Ｐ４（図９）上の確定キーｅを押下した場合（ステップＳ９のＹｅｓ）、ＣＰＵ２１（属性記憶手段２１３）は、入力された旧カードのカード番号を顧客管理サーバ１４に送信するとともに（ステップＳ１０）、図１０に示すように、会員カード属性情報表示画面Ｐ２においてステップＳ５で選択した属性を入会済みのカード属性として文字の表示色または背景色を変更する情報更新処理を実行し（ステップＳ１１）、ステップＳ４に戻る。なお、情報更新処理では、ＲＡＭ２３の一時記憶バッファ２３ａに記憶された会員カード属性情報を更新するとともに、顧客管理サーバ１４の会員カード属性情報ファイル５０に記憶されている会員カード属性情報も更新する。
【００５４】
一方、オペレータがポップアップ画面Ｐ３（図８）上の新規キーｄを押下した場合（ステップＳ７のＮｏ、ステップＳ１２のＹｅｓ）、ＣＰＵ２１は、入会登録画面Ｐ５（図１１）をオペレータ用表示器３９に表示する（ステップＳ１３）。
【００５５】
図１１に示すように、入会登録画面Ｐ５では、オペレータは入会金の徴収処理などの処理を実行する（ステップＳ１４）。
【００５６】
ＣＰＵ２１は、入会登録画面Ｐ５での入会金の徴収処理などの処理の実行後、ステップＳ４に戻る。
【００５７】
次に、図１２のフローチャートを参照しながら会員カードＣを用いた商品販売処理について説明する。
【００５８】
顧客は、店舗内にて購入対象商品を持ってオペレータのいるＰＯＳ端末１２の前に並ぶ。オペレータは、顧客から会員カードＣを受け取り、ＰＯＳ端末１２のカードリーダライタ３３の挿入口３３ａへ挿入する。次いで、オペレータは、キーボード３７に配設されたカード宣言キー３７ｂを押下する。
【００５９】
図１２に示すように、会員カードＣがカードリーダライタ３３の挿入口３３ａへ挿入され、カード宣言キー３７ｂが押下されると（ステップＳ２１のＹｅｓ）、ＰＯＳ端末１２のＣＰＵ２１は、会員カードＣのカード番号を読み出し、顧客管理サーバ１４に会員カード属性情報の問い合わせを行う（ステップＳ２２）。
【００６０】
ＣＰＵ２１（第二属性表示手段２１５）は、顧客管理サーバ１４からカード番号に応じた会員カード属性情報を受信すると（ステップＳ２３のＹｅｓ）、オペレータ用表示器３９に会員カード属性情報表示画面Ｐ２（図７）を表示する（ステップＳ２４）。
【００６１】
図７に示すように、会員カード属性情報表示画面Ｐ２には、会員カード属性情報Ｘが一覧表示されている。ここで、カード番号が入力された会員カードＣに対して入会済みのカード属性と、未入会のカード属性とでは、文字の表示色または背景色が異なるものとなっている。また、会員カードＣのカード番号が未入会の場合、会員カード属性情報表示画面Ｐ２に一覧表示される会員カード属性情報は、未入会を示す文字の表示色または背景色である。
【００６２】
このような状態で、オペレータは、購入対象商品のバーコード等をバーコードスキャナ３８でスキャンする。
【００６３】
ＣＰＵ２１は、購入対象商品のバーコード等をバーコードスキャナ３８でスキャンすることによって得られる商品コードに基づいて商品マスタファイルから商品名や販売価格を取得して登録する売上登録処理を実行する（ステップＳ２５）。
【００６４】
ステップＳ２５の処理は全ての購入対象商品の入力が終了するまで繰り返され、全ての購入対象商品の入力が終了して小計キーが押下された場合（ステップＳ２６のＹｅｓ）、ＣＰＵ２１（処理実行手段２１４）は、会員カードＣにおいて入会済みのカード属性に応じた処理を実行する（ステップＳ２７）。
【００６５】
ここで、会員カードＣにおいて入会済みのカード属性に応じた処理とは、下記に示すものが一例として挙げられる。
・ポイントの付与
・値引きまたは割引き
・クーポン券の発行
・電子マネーの使用
【００６６】
その後、オペレータは、現金を預かった場合には、キーボード３７に配設された置数キーを押下して預かり金額の入力を行うとともに、預／現計キーを押下する。
【００６７】
ＣＰＵ２１は、ステップＳ２６で電子マネーによる決済があった場合、または預／現計キーの押下によって、決済が完了した場合には（ステップＳ２８のＹｅｓ）、商品販売処理を終了する。
【００６８】
この時、オペレータは、ドロワ３６がオープンし、精算した際に発生したお釣りを顧客に渡し、預かった現金をドロワ３６内に収納する。
【００６９】
また、商品販売処理を終了すると、ＣＰＵ２１は、購入した商品のレシート（図示せず）をプリンタ４１より出力するとともに、商品販売データ等をストアコンピュータ１１に送信する後処理を実行し（ステップＳ２９）、処理を終了する。
【００７０】
このように、実施形態のＰＯＳ端末１２によれば、会員カードＣに色々なカード属性を持たせ、複数の会員カードを１枚の会員カードＣに統合することにより、お客様の携帯性を良くすることができるとともに、複数の会員カードを複数所持していたことによる会計時のもたつきが防止され負担を軽減することができる。
【００７１】
また、実施形態のＰＯＳ端末１２によれば、カード登録時にカード属性情報を表示することにより、キャッシャと称されるオペレータがカード属性に応じた販促サービスなどの次に行う操作が明確となる。
【００７２】
さらに、実施形態のＰＯＳ端末１２によれば、属性に応じた販促サービス等をＰＯＳ端末１２にて判断し、提供する事を可能とする。さらにまた、実施形態のＰＯＳ端末１２によれば、会員カードＣへの属性の追加も可能とする為、カード発行の経費も抑える事ができる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１２      商品販売データ処理装置
２１１    第一属性表示手段
２１２    属性指定手段
２１３    属性記憶手段
２１４    処理実行手段
２１５    第二属性表示手段
【先行技術文献】
【特許文献】
【００７５】
【特許文献１】特開２０１１−７６３２５号公報
【図１】
2015087863.tif 000003
【図２】
2015087863.tif 000004
【図３】
2015087863.tif 000005
【図４】
2015087863.tif 000006
【図５】
2015087863.tif 000007
【図６】
2015087863.tif 000008
【図７】
2015087863.tif 000009
【図８】
2015087863.tif 000010
【図９】
2015087863.tif 000011
【図１０】
2015087863.tif 000012
【図１１】
2015087863.tif 000013
【図１２】
2015087863.tif 000014